(57)【要約】【課題】取替え式の現像ユニットを用いて、画像データを印字出力する画像形成装置において、現像ユニットの取替え後における濃度低下を自動補正する機能を備えた画像形成装置を提供する。【解決手段】取替え式の現像ユニットを備えた画像形成装置において、現像ユニットを用いて画像データを記録紙に印字する印字枚数を計数する計数手段と、この計数手段による計数値に基づいて、現像ユニットの取替時から所定の印字枚数に達するまでは、初期濃度補正処理を行い、かつ所定の印字枚数を超えた後は、初期濃度補正処理を解除する画像処理手段とを備えており、上記初期濃度補正処理では、上記画像データの印字すべき濃度を濃い側にシフトさせるようにしている。【選択図】図１
2005017825.tif 000002
【特許請求の範囲】
【請求項１】
取替え式の現像ユニットを備えた画像形成装置において、
現像ユニットを用いて画像データを記録紙に印字する印字枚数を計数する計数手段と、
この計数手段による計数値に基づいて、現像ユニットの取替時から所定の印字枚数に達するまでは、初期濃度補正処理を行い、かつ所定の印字枚数を超えた後は、初期濃度補正処理を解除する画像処理手段とを備え、
上記初期濃度補正処理では、上記画像データの印字すべき濃度を濃い側にシフトさせるようにしている、
画像形成装置。
【請求項２】
請求項１において、
上記初期濃度補正処理は、ガンマ補正特性を変化させることで実行される、
画像形成装置。
【請求項３】
請求項１において、
上記初期濃度補正処理は、画像データの２値化処理のための閾値を変化させることで実行される、
画像形成装置。
【請求項４】
請求項１において、
上記初期濃度補正処理は、誤差拡散法の誤差重み係数を変化させることで実行される、
画像形成装置。
【請求項５】
相互に通信機能を備えた画像形成装置と、外部端末装置とを組み合わせ、上記外部端末装置から上記画像形成装置に画像データを送信して、画像形成装置側で印字ジョブを実行させて、記録紙への出力を行なう画像形成ネットワーク通信システムにおいて、
上記画像形成装置は、取替え式の現像ユニットを用いて、記録紙に印字出力する画像処理手段と、この現像ユニットによる印字枚数を計数する手段とを備え、
上記外部端末装置は、上記画像形成装置から送信されて来る印字枚数の計数値を受信する毎に、その計数値が所定枚数に達するまでは、上記画像形成装置に濃度補正処理した画像データを送信する一方、計数値が所定枚数を超えた後は、画像データを濃度補正せずに送信する構成にしている、画像形成ネットワーク通信システム。
【発明の詳細な説明】
【０００１】
【発明の属する技術分野】
本発明は、取替え可能な現像ユニットを備えた、濃度補正機能を有する画像形成装置及びこの濃度補正機能を通信ネットワークによって実現可能にした、画像形成ネットワーク通信システムに関する。
【０００２】
【従来の技術】
電子写真方式の画像形成装置では、計時変化による画質の劣化、例えば記録紙上に形成される画像の濃度低下などが発生するが、このような画質劣化に対して、次のような提案がなされている。
【０００３】
【特許文献】特開平９−２３０６７８号公報
上記特許文献には、光学系の汚れによる光量減少による画質の劣化を防ぐべく、露出光量を補正する画像形成装置が記載されている。
【発明が解決しようとする課題】
【０００４】
一方、接触現像を採用する機器においては、現像ローラーへのトナー供給が安定し、現像ローラーと感光ドラムとの接触が安定するまでは、感光ドラムに付着するトナーの量が所定の量よりも少なくなり、記録紙上に再現される画像の濃度が低下する問題がある。特に、トナーが無くなったときに、現像ユニットをまるごと交換するタイプの画像形成装置では、現像ユニットを交換する毎にこの問題が発生する。
【０００５】
【課題を解決するための手段】
本発明は、現像ユニットを交換する毎に、印字濃度がしばらくの間は低下してしまうという上記問題点を解決するために、新しく交換された現像ユニットが所定の枚数を印字出力し、印字濃度が安定化するまでは、画像データに特別な濃度補正処理を行なう機能を備えた画像形成装置と、このような濃度補正処理を通信ネットワークを用いて実現するようにした、画像形成ネットワーク通信システムを提供することを目的としている。
【０００６】
上記目的を達成するために提案される本発明は、以下のような構成を備えたことを特徴としている。
【０００７】
すなわち、請求項１〜４では、取替え式の現像ユニットを備えた画像形成装置が提案されており、請求項１では、現像ユニットを用いて画像データを記録紙に印字する印字枚数を計数する計数手段と、この計数手段による計数値を判別して、現像ユニットの取替時から所定の印字枚数に達するまでは、初期濃度補正処理を行い、かつ所定の印字枚数を超えたときには、初期濃度補正処理を解除する画像処理手段とを備え、上記初期濃度補正処理では、上記画像データの印字すべき濃度を濃い側にシフトさせるようにしている。
【０００８】
また、請求項２〜４では、初期濃度補正処理は、ガンマ補正特性を変化させたり、画像データの２値化処理のための閾値を変化させたり、誤差拡散法の誤差重み係数を変化させることで具体的に実行される、画像形成装置が提案されている。
【０００９】
さらに、請求項５では、画像形成通信ネットワークシステムが同時に提案されており、このシステムは、相互に通信機能を備えた画像形成装置と、外部端末装置とを組み合わせ、外部端末装置から画像形成装置に画像データを送信して、画像形成装置側で印字ジョブを実行させ、記録紙への出力を行なうネットワーク通信システムであって、上記画像形成装置は、取替え式の現像ユニットを用いて、記録紙に印字出力する画像処理手段と、この現像ユニットによる印字枚数を計数する手段とを備え、かつ、上記外部端末装置は、上記画像形成装置から送信されて来る印字枚数の計数値を受信する毎に、その計数値が所定枚数に達するまでは、上記画像形成装置に濃度補正処理した画像データを送信する一方、計数値が所定枚数を超えたときには、画像データを濃度補正せずに送信する構成にしている。
【００１０】
【発明の実施の形態】
以下に、添付図とともに、本発明の一実施例を説明する。
【００１１】
図１は、本発明の画像形成装置の基本構成を示すブロック図である。この図に示されるように、本発明に係る画像形成装置Ａは、画像を記録紙上に印字出力するために使用する交換式の現像ユニット３と、後述する初期濃度補正処理を含んだ画像処理機能を備えた画像処理手段１と、現像ユニット３が交換される毎に印字出力された記録紙の枚数を累計する計数手段２を備えており、画像処理手段１は、上記計数手段２の計数値を参照して、現像ユニット３が交換される毎に、交換後から記録紙に印字出力された累計枚数が所定枚数未満（例えば、１０００枚未満）であるかどうかを判別し、所定枚数を超えるまでは、入力し、あるいは受信した画像データが属性情報として持つ濃度よりも幾分か濃い濃度で画像が再生されるように画像処理特性を変更させている。
【００１２】
画像処理手段１によって実行される初期濃度補正処理は、画像データのガンマ補正特性を変化させることで行なうことが出来る。図２は、そのガンマ補正特性を示すグラフである。図において、横軸は入力画像データの階調強度であり、右に行くほど高濃度でより黒くなり、縦軸は出力画像データの階調強度であり、上に行くほど高濃度でより黒くなる。図に示す下側の曲線は、通常のガンマ特性曲線γ、上側の曲線は、初期濃度補正処理で使用されるガンマ特性曲線γ‘である。本発明では、このような方法で、同じ入力画像データの階調強度が、現像ユニットの使用状態に応じて２通りの階調強度に変換されて出力される。
【００１３】
このような初期濃度補正処理は、２進化（白黒）の閾値を変更することで行なってもよく、また、シェーディング処理や中間調などにおいて、ディザ法のディザパターン変更や、誤差拡散法の誤差の重み計数を変更することで行なってもよい。
【００１４】
図３のステップＳ１〜Ｓ４は、初期濃度補正処理の基本動作を示すフローチャートである。
【００１５】
画像処理が開始されると、まず計数手段２によって、現像ユニット３が新たに交換されてから画像形成枚数が所定値、例えば、１，０００枚以上であるか否かが判断される。そして、１，０００枚以上であれば（ステップＳ１でＹｅｓ）、画像処理手段１は通常ガンマ特性γを選択する（ステップ２）が、１，０００枚未満であれば（ステップＳ１でＮｏ）、初期ガンマ特性γ‘を選択する（ステップＳ３）。そして、このあと、画像処理手段１は、選択したガンマ特性γ、γ‘に従って、画像データのガンマ補正を行う（ステップＳ４）。
【００１６】
図４は、本発明をファクシミリ装置に適用した例を示すブロック図である。
【００１７】
このファクシミリ装置Ｆは、ＣＰＵ等で構成され、以下の各部を制御する主制御部２１と、印字を行う交換可能な現像ユニット３を含むプリントユニット３´と、所定形式に符号化された保存画像データを格納する画像メモリ４と、短縮ダイヤル番号などを記憶するＲＡＭ５と、ファクシミリ装置が動作するのに必要な各種プログラムなどを記憶するフラッシュメモリ６と、液晶画面などで構成される表示部７と、各種操作キーなどで構成される操作パネル８と、送信原稿を読取るＣＣＤ９と、送信原稿の画像データを処理する読取画像処理回路１０と、送信原稿の画像データを保存画像データに符号化する読取ＣＯＤＥＣ１１と、読取画像処理回路１０、及び読取ＣＯＤＥＣ１１によって一時的に使用される読取イメージメモリ１２と、印字画像データを画像処理する印字画像処理回路１３と、保存画像データを印字画像データに復合する印字ＣＯＤＥＣ１４と、印字画像処理回路１３、及び印字ＣＯＤＥＣ１４によって一時的に使用される印字イメージメモリ１５と、ファクシミリ通信に必要な各種信号を変復調するモデム１６と、電話回線に対する接続制御をするＮＣＵ１７を備える。
【００１８】
画像処理手段１は、読取画像処理回路１０、読取ＣＯＤＥＣ１１、読取イメージメモリ１２、印字画像処理回路１３、印字ＣＯＤＥＣ１４、及び印字イメージメモリ１５で構成されている。
【００１９】
主制御部２１は、モデム１６、ＮＣＵ１７、画像メモリ４、ＲＡＭ５、フラッシュメモリ６、表示部７、及び操作パネル８と、読取画像処理回路１０、読取ＣＯＤＥＣ１１、印字画像処理回路１３、及び印字ＣＯＤＥＣ１４とバスを介して接続される。読取画像処理回路１０はＣＣＤ９と信号線を介して接続され、印字画像処理回路１３はプリントユニット３´と信号線を介して接続される。
【００２０】
また、読取イメージメモリ１２は、第１のローカルバスを介して、読取画像処理回路１０、及び読取ＣＯＤＥＣ１１と接続され、印字イメージメモリ１５は、第２のローカルバスを介して、印字画像処理回路１３、及び印字ＣＯＤＥＣ１４と接続されている。
【００２１】
ＲＡＭ５の所定の記憶領域には、交換された現像ユニット３が印字した累計枚数の情報が保持されており、この情報は、プリントユニット３´が印字を行うごとに、主制御部２１によって１ずつ加算されていく。すなわち、主制御部２１とＲＡＭ５を含んで計数手段が構成されている。
【００２２】
本発明の特徴である初期濃度補正処理は、上記の印字画像処理回路１３による画像処理の過程で行われるが、ファクシミリ受信した画像データは白黒２値のデータであるために、そのままでは画像処理によって特性を変更することはできない。そこで、近年、このような２値画像データでも、スムージングを伴う解像度変換を容易化するため、２値画像データを周囲の画像の白黒分布に基づき、擬似的に多値化し、多値化したデータを解像度変換して再度２値化する技術が使用され、このようにして多値化した画像データに対しても、ガンマ補正に基づく初期濃度補正処理が行なうことができる。
【００２３】
図５は、印字画像処理回路１３のブロック図である。画像メモリ４から読み出された２値の蓄積画像データは、印字ＣＯＤＥＣ１４により印字画像データに符号化され、２値／多値変換回路１３ａによって多値化される。多値化された印字画像データは、解像度変換回路１３ｂによって解像度変換され、多値化され解像度変換された印字画像データは、ガンマ補正回路１３ｃによってガンマ補正されるが、このとき、本発明では、主制御部２１の指令により、図２に示した通常ガンマ特性γ、あるいは初期ガンマ特性γ‘が選択される。この主制御部２１の指令は、現像ユニット３が交換された後の印字累計枚数に基づいている。
【００２４】
こうして、ガンマ補正された多値の印字画像データは、再２値化回路１３ｄによって再び２値化される。これらの処理中、一時記憶用のラインバッファとして、ラインバッファ１３ｅが使用される。
【００２５】
なお、ガンマ補正の特性を変えて初期濃度補正処理を実行する方法以外にも、上記した再２値化回路１３ｄによる再２値化の段階で、閾値を変える構成も可能である。具体的には、黒と判定する閾値をより白レベルに近づければ、印字濃度を見掛け上、濃く出来る。
【００２６】
上記では、ファクシミリ受信が終了した直後に、画像データが印字される場合を説明したが、受信した画像データを保存画像データとして画像メモリ４に蓄積し、使用者によって操作パネル８から印字指示されたときに印字するような設定（例えば、親展受信）も、もちろん可能である。
【００２７】
図６は、本発明をコピー装置に適用したものの構成を示すブロック図である
このコピー装置Ｃは、ＣＰＵ等で構成され、以下の各部を制御する主制御部２１と、印字を行う交換可能な現像ユニット３を含むプリントユニット３´と、所定形式に符号化された保存画像データを格納する画像メモリ４と、拡大／縮小率などを記憶するＲＡＭ５と、コピー装置が動作するのに必要な各種プログラムなどを記憶するフラッシュメモリ６と、液晶画面などで構成される表示部７と、各種操作キーなどで構成される操作パネル８と、コピー原稿を読取るＣＣＤ９と、読取原稿の画像データを処理する読取画像処理回路１０と、読取原稿の画像データを保存画像データに符号化する読取ＣＯＤＥＣ１１と、読取画像処理回路１０、及び読取ＣＯＤＥＣ１１によって一時的に使用される読取イメージメモリ１２と、印字画像データを画像処理する印字画像処理回路１３と、保存画像データを印字画像データに符号化する印字ＣＯＤＥＣ１４と、印字画像処理回路１３、及び印字ＣＯＤＥＣ１４によって一時的に使用される印字イメージメモリ１５を備える。
【００２８】
読取画像処理回路１０、読取ＣＯＤＥＣ１１、読取イメージメモリ１２、印字画像処理回路１３、印字ＣＯＤＥＣ１４、及び印字イメージメモリ１５は、画像処理手段１を構成する。
【００２９】
主制御部２１は、画像メモリ４、ＲＡＭ５、フラッシュメモリ６、表示部７、及び操作パネル８、読取画像処理回路１０、読取ＣＯＤＥＣ１１、印字画像処理回路１３、及び印字ＣＯＤＥＣ１４とバスを介して接続される。さらに読取画像処理回路１０はＣＣＤ９と信号線を介して接続され、印字画像処理回路１３はプリントユニット３´と信号線を介して接続され、読取イメージメモリ１２は、第１のローカルバスを介して、読取画像処理回路１０、及び読取ＣＯＤＥＣ１１と接続され、印字イメージメモリ１５は、第２のローカルバスを介して、印字画像処理回路１３、及び印字ＣＯＤＥＣ１４と接続されている。
【００３０】
ここに、ＲＡＭ５の所定の記憶領域には、交換された現像ユニット３が印字した累計枚数の情報が保持されており、この情報は、プリントユニット３´が印字を行うごとに、主制御部２１によって１ずつ加算されていく。主制御部２１とＲＡＭ５によって計数手段が構成されている。
【００３１】
ついで、コピー装置Ｃにおける基本動作、コピー原稿の読取りと、印字動作を説明する。
【００３２】
コピー原稿の読取りは、使用者が原稿をコピー装置筺体の所定の場所にセットしたあと、操作パネル８によって、コピー条件、枚数などを入力し、コピーを指示することで開始される。この指示が終了すると、コピー原稿の画像がＣＣＤ９によって読取られ、ＣＣＤ９からの画像データは、読取画像処理回路１０によって処理され、読取ＣＯＤＥＣ１１によって、保存画像データに符号化され、画像メモリ４へ蓄積される。
【００３３】
初期濃度補正処理は、上記の読取画像処理回路１０による画像処理の過程で行われる。図７は、上記の画像処理の特性変更を行うように構成された読取画像処理回路１０のブロック図である。ＣＣＤ９によって読取られたアナログ値の画像データは、ＡＧＣ（オートゲインコントロール）アンプ等で形成されるアナログフロントエンド回路１６によって適切なレベルのアナログ信号に増幅され、Ａ／Ｄ変換器１７でデジタルデータに変換される。この多値の画像データは、読取画像処理回路１０に入力され、まずシェーディング補正回路１０ａによって所定の階調レベルにされたのち、ガンマ補正回路１０ｂによって、ガンマ特性が補正される。このとき、ガンマ特性として、主制御部２１の指令により、図２に示した通常ガンマ特性γ、あるいは初期ガンマ特性γ‘が選択される。
この主制御部２１の指令は、いうまでもなく、交換された現像ユニット３の累計の印字枚数に基づいている。こうして、ガンマ補正された多値の読取画像データは、２値化回路１０ｃによって２値化され、これらの処理中、一時記憶用のラインバッファ１０ｄが使用される。
【００３４】
なお、ガンマ補正の特性を変えて初期濃度補正処理を行なう以外にも、シェーディング補正による方法も可能である。より具体的には、シェーディング補正回路１０ａがディザ法によるものであれば、ディザパターンを変える方法が採用でき、誤差拡散法によるものであれば、誤差の重み計数を変える方法が採用できる。もちろん、ここでも、２値化回路１０ｃによる２値化処理において、２値化の閾値を変える方法も可能である。
【００３５】
こうして画像データが画像メモリ４に蓄積されると、その保存画像データは画像メモリ４から読み出され、印字ＣＯＤＥＣ１４により、印字画像データに符号化され、印字画像処理回路１３によって画像処理され、プリントユニット３´によって印字される。印字が実行されると、主制御部２１は、その印字枚数に応じてＲＡＭ５が保持する累計枚数の値を増加させる。
【００３６】
ついで、本発明の画像形成通信ネットワークシステムを説明する。
【００３７】
このシステムＳは、相互に通信機能を備えた画像形成装置と、外部端末装置とを組み合わせ、外部端末装置から画像形成装置に画像データを送信して、画像形成装置側で印字ジョブを実行させ、記録紙への出力を行なうネットワーク通信システムを構成しており、図例の実施例では、画像形成装置は、ネットワークプリンタＰ、外部端末装置は、クライアントＰＣで構成され、イーサネット（登録商標）、ＬＡＮインターフェース１８で双方向通信可能な形で接続されている。
【００３８】
図８に示すブロック図では、ネットワークプリンタＰは、ＣＰＵ等で構成され、以下の各部を制御する主制御部２１と、印字を行う交換可能な現像ユニット３を含むプリントユニット３´と、所定形式に符号化された保存画像データを格納する画像メモリ４と、印字条件などを記憶するＲＡＭ５と、ネットワークプリンタＰが動作するのに必要な各種プログラムなどを記憶するフラッシュメモリ６と、液晶画面などで構成される表示部７と、各種操作キーなどで構成される操作パネル８と、外部と通信するためのＬＡＮインタフェース１８と、画像データを画像処理する印字画像処理回路１３と、保存画像データを印字画像データに符号化する印字ＣＯＤＥＣ１４と、印字画像処理回路１３、及び印字ＣＯＤＥＣ１４によって一時的に使用される印字イメージメモリ１５を備える。
【００３９】
ここに、主制御部２１は、画像メモリ４、ＲＡＭ５、フラッシュメモリ６、表示部７、操作パネル８、ＬＡＮインタフェース１８、印字画像処理回路１３、及び印字ＣＯＤＥＣ１４と、バスを介して接続される。さらに、印字画像処理回路１３はプリントユニット３´と信号線を介して接続される。また、印字イメージメモリ１５は、ローカルバスを介して、印字画像処理回路１３、及び印字ＣＯＤＥＣ１４と接続される。ＬＡＮインタフェース１８は、ＬＡＮを介して複数の端末装置１９と接続される。
【００４０】
ＲＡＭ５の所定の記憶領域には、交換された現像ユニット３が印字した累計枚数の情報が保持されており、この情報は、プリントユニット３´が印字を行うごとに、主制御部２１によって１ずつ加算されていく。すなわち、主制御部２１とＲＡＭ５によって計数手段が構成される。
【００４１】
ついで、図９のフローチャートを参照して、本発明システムの基本動作をさらに詳細に説明する。
【００４２】
図９の左側のフローチャートは外部端末装置１９の動作を示し、右側のフローチャートはネットワークプリンタＰの動作を示す。また、図中の破線は、外部端末装置１９とネットワークプリンタＰとの間の通信を示す。
【００４３】
最初に、外部端末装置１９が、ＬＡＮを介して、ネットワークプリンタＰに対して印字を要求すると（ステップＳ５）、ネットワークプリンタＰの主制御部２１は、ＬＡＮインタフェース１８を介してその要求を受け（ステップＳ６）、ＲＡＭ５が保持する交換された現像ユニット５の印字した累計枚数の情報を読み出し、ＬＡＮインタフェース１８により、印字を要求した外部端末装置１９に対して、その情報を送信する（ステップＳ７）。
【００４４】
外部端末装置１９は、その累計枚数の情報を受信すると（ステップＳ８）、累計枚数の判断を行う（ステップＳ９）。その枚数が１，０００枚以上ならば（ステップＳ９でＹｅｓ）、図２の通常ガンマ特性γを選択するが（ステップＳ１０）、１，０００枚未満ならば（ステップＳ９でＮｏ）、初期ガンマ特性γ‘を選択する（ステップＳ１１）。次に、選択したガンマ特性γ、γ’に従って、必要な画像処理を行い（ステップ１２）、画像データをネットワークプリンタＰに送信する（ステップＳ１３）。ＬＡＮインタフェース１８がその画像データを受信すると（Ｓ１４）、主制御部２１は、ＬＡＮインタフェース１８を介して、画像メモリ４にその画像データを順次蓄積させる。全ての保存画像データが画像メモリ４に蓄積されると、その保存画像データは逐次読み出され、印字ＣＯＤＥＣ１４により、印字画像データへと符号化され、印字画像処理回路１３によって画像処理され、プリントユニット３´によって印字される（ステップＳ１５）。
かくして印字が実行されると、主制御部２１は、その印字枚数に応じてＲＡＭ５が保持する累計枚数の値を増加させる（ステップＳ１６）。
【００４５】
上記各実施例では、初期濃度補正処理を印字画像処理中に行う構成、読取画像処理中に行う構成、及び外部端末の画像処理で行う構成を提案したが、これらの構成は、ファクシミリ装置、コピー装置、プリンタ装置以外の画像形成装置にも適用可能であり、発明の範囲は実施例の画像形成装置には限定されない。
【００４６】
また、本発明では、濃度の補正法として、ガンマ補正を用いてガンマ特性を変更する方法、２進化処理で閾値を変更する方法、ディザ法でディザパターンを変更する方法、誤差拡散法で、誤差の重み計数を変更する方法を提案したが、これら処理手法も種々変形が可能である。
例えば、ガンマ補正において、本発明は２種類のガンマ特性を切替える以外にも、３通り以上のガンマ特性を順次切替える構成も可能である。従って、本発明の範囲は、実施例の濃度補正法には限定されない。
【００４７】
【発明の効果】
請求項１〜４に記載の画像形成装置では、現像ユニットが交換された後、所定の印字枚数に到達するまでは、自動的に濃度低下が補正されるので、現像ユニットを交換する毎に、印字出力された画像が、しばらくの間、濃度が低下してしまうという問題点が解消される。
【００４８】
特に、請求項２、３、４の画像形成装置では、初期濃度補正処理がガンマ補正特性、２値化処理のための閾値、中間調を考慮した誤差拡散法の誤差重み係数を、それぞれ変化させることで具体的に実現できる。
【００４９】
請求項５に記載の画像形成ネットワーク通信システムでは、取替え式の現像ユニットを備えた画像形成装置と、外部端末装置とを通信ネットワークを通じて接続したシステムを使用する場合にも、現像ユニットの交換後、しばらくの間は印字画像の濃度が低下するという問題点が解消される。
【図面の簡単な説明】
【図１】本発明の基本構成を示すブロック図、
【図２】ガンマ補正特性を用いた初期濃度補正処理を説明するグラフ、
【図３】本発明における初期濃度補正処理の基本動作手順を示すフローチャート、
【図４】本発明を適用したファクシミリ装置の基本構成を示すブロック図、
【図５】初期濃度補正処理機能を備えた画像処理手段のブロック図、
【図６】本発明を適用したコピー装置の基本構成を示すブロック図、
【図７】初期濃度補正処理機能を備えた画像処理手段の他例のブロック図、
【図８】本発明の画像形成ネットワーク通信システムの基本構成を示すブロック図、
【図９】画像形成ネットワーク通信システムの基本動作を示すフローチャート。
【符号の説明】
Ａ・・・本発明の画像形成装置
Ｆ・・・ファクシミリ
Ｃ・・・コピー装置
Ｓ・・・本発明の画像形成ネットワーク通信システム
Ｐ・・・ネットワークプリンタ
１・・・画像処理手段
２・・・計数手段
３・・・現像ユニット
１９・・・外部端末装置、クライアントＰＣ
【図１】
2005017825.tif 000003
【図２】
2005017825.tif 000004
【図３】
2005017825.tif 000005
【図４】
2005017825.tif 000006
【図５】
2005017825.tif 000007
【図６】
2005017825.tif 000008
【図７】
2005017825.tif 000009
【図８】
2005017825.tif 000010
【図９】
2005017825.tif 000011